(57)【要約】【課題】情報の送受信を確実に行うこと。【解決手段】携帯端末装置と情報処理装置との間で情報を交換する情報交換システムであって、携帯端末装置における端末側発光部が、自装置の利用者を一意に特定するための利用者識別子を少なくとも重畳させた可視光を、利用者が所望する方向に出力する。そして、端末側受光部が、情報処理装置から出力された可視光を受光する。情報処理装置における受光部が、携帯端末装置から出力された利用者識別子が重畳された可視光を受光する。そして、発光部が、受光部によって利用者識別子が重畳された可視光が受光された場合に、当該利用者識別子に関連する情報を可視光に重畳させて出力する。【選択図】        図１
2012039387.tif 000002
【特許請求の範囲】
【請求項１】
携帯端末装置と情報処理装置との間で情報を交換する情報交換システムであって、
前記携帯端末装置が、
自装置の利用者を一意に特定するための利用者識別子を少なくとも重畳させた可視光を、前記利用者が所望する方向に出力する端末側発光部と、
前記情報処理装置から出力された可視光を受光する端末側受光部と、
を備え、
前記情報処理装置が、
前記携帯端末装置から出力された利用者識別子が重畳された可視光を受光する受光部と、
前記受光部によって利用者識別子が重畳された可視光が受光された場合に、当該利用者識別子に関連する情報を可視光に重畳させて出力する発光部と、
を備えたことを特徴とする情報交換システム。
【請求項２】
前記携帯端末装置は、前記利用者識別子を重畳させた可視光を収束させる収束部をさらに有することを特徴する請求項１に記載の情報交換システム。
【請求項３】
前記発光部は、前記受光部によって利用者識別子が重畳された可視光が受光された場合に、受光前とは異なる色の可視光を出力することを特徴とする請求項１に記載の情報交換システム。
【請求項４】
前記情報処理装置は、前記受光部によって受光された可視光に重畳された利用者識別子を用いて、前記自装置が記憶する情報を更新する更新部をさらに有し、
前記発光部は、前記更新部によって更新された情報を可視光に重畳させて出力することを特徴とする請求項１に記載の情報交換システム。
【請求項５】
携帯端末装置と情報処理装置との間で情報を交換する情報交換方法であって、
前記携帯端末装置が、
自装置の利用者を一意に特定するための利用者識別子を少なくとも重畳させた可視光を、前記利用者が所望する方向に出力する端末側発光ステップと、
前記情報処理装置から出力された可視光を受光する端末側受光ステップと、
を含み、
前記情報処理装置が、
前記携帯端末装置から出力された利用者識別子が重畳された可視光を受光する受光ステップと、
前記受光ステップによって利用者識別子が重畳された可視光が受光された場合に、当該利用者識別子に関連する情報を可視光に重畳させて出力する発光ステップと、
を含んだことを特徴とする情報交換方法。
【発明の詳細な説明】
【技術分野】
【０００１】
この発明は、情報交換システム及び情報交換方法に関する。
【背景技術】
【０００２】
従来、目視可能であるが、手の届く範囲外にある物の情報を入手したり、その物と情報交換したりしたい場合がある。例えば、屋外に設置された広告などは、告知範囲の広域化や盗難防止の観点から手の届く範囲外に設置される場合が多い。このような広告に記載された電話番号やＵＲＬ（Uniform Resource Locator）などを入手する方法としては、赤外線広告が知られている。
【０００３】
赤外線広告は、広告に赤外線装置が備えられており、利用者が携帯端末を用いて自身の電子メールアドレスなどを赤外線で送信すると、赤外線装置が受信した電子メールアドレスにＵＲＬや広告の詳細情報などを送信する。
【先行技術文献】
【非特許文献】
【０００４】
【非特許文献１】“赤外線広告とは”、[online]、ＮＴＴ技術ジャーナル、２００６．１、[平成２２年５月２４日検索]、インターネット＜http://www.ntt.co.jp/journal/0601/files/jn200601090.pdf＞
【発明の概要】
【発明が解決しようとする課題】
【０００５】
しかしながら、上述した従来技術では、情報の送受信を確実に行うことができないという問題があった。具体的には、上述した従来技術では、通信に赤外線を用いていることから、所望する通信先と通信が行われているか否かを目視することができず、情報の送受信を確実に行うことができない。例えば、赤外線広告が多数設置されている場合には、どの広告に対して情報を送信しているか分からないため、利用者が所望する広告とは異なる広告の情報を取得する場合がある。また、赤外線装置から情報を取得する場合に、赤外線装置から送信される赤外線を目視できず、確実に受信することができない。
【０００６】
そこで、本開示の技術は、上述した従来技術の問題を鑑みて、情報の送受信を確実に行うことを可能にする情報交換システム及び情報交換方法を提供することを目的とする。
【課題を解決するための手段】
【０００７】
上述した課題を解決し、目的を達成するため、開示のシステムは、携帯端末装置と情報処理装置との間で情報を交換する情報交換システムであって、携帯端末装置における端末側発光部が、自装置の利用者を一意に特定するための利用者識別子を少なくとも重畳させた可視光を、利用者が所望する方向に出力する。そして、端末側受光部が、情報処理装置から出力された可視光を受光する。情報処理装置における受光部が、携帯端末装置から出力された利用者識別子が重畳された可視光を受光する。そして、発光部が、受光部によって利用者識別子が重畳された可視光が受光された場合に、当該利用者識別子に関連する情報を可視光に重畳させて出力する。
【発明の効果】
【０００８】
開示のシステムは、情報の送受信を確実に行うことを可能にする。
【図面の簡単な説明】
【０００９】
【図１】図１は、実施例１に係る情報交換システムの構成の一例を示す図である。
【図２】図２は、可視光を用いた送信の一例を説明するための図である。
【図３】図３は、入札状況の一例を説明するための図である。
【図４】図４は、入札状況の取得の一例を説明するために図である。
【図５】図５は、電波通信の一例を説明するための図である。
【図６】図６は、実施例１に係る情報交換システム１０００による処理の手順を示すシーケンス図である。
【発明を実施するための形態】
【００１０】
以下に添付図面を参照して、本願の開示する情報交換システム及び情報交換方法の実施例を詳細に説明する。以下では、本願の開示する情報交換システムをオークションシステムに適用した例を説明する。なお、本願の開示する情報交換システム及び情報交換方法は、以下の実施例により限定されるものではない。
【実施例１】
【００１１】
［実施例１に係る情報交換システムの構成］
実施例１に係る情報交換システム１０００の構成について説明する。図１は、実施例１に係る情報交換システム１０００の構成の一例を示す図である。図１に示すように、情報交換システム１０００は、ユーザ端末装置１００と、ユーザ端末装置２００と、オークション装置３００とを有し、各装置間で可視光通信を実行する。例えば、情報交換システム１０００では、オークション装置３００が、任意のユーザ端末装置から入札を受付けた場合に、入札状況を他のユーザ端末装置に報知する。以下では、ユーザ端末装置１００のユーザである「ユーザＡ」がユーザ端末装置１００を用いて入札を行い、その入札状況をユーザ端末装置２００のユーザである「ユーザＢ」がユーザ端末装置２００を用いて取得する場合について説明する。なお、図１においては、ユーザ端末装置が２台のみ示されているが、実際には、オークション装置３００の周囲には多数のユーザ端末装置が位置している。
【００１２】
まず、ユーザ端末装置１００の構成について説明する。なお、ユーザ端末装置１００とユーザ端末装置２００とは、同様の構成を有していることから、以下では、ユーザ端末装置１００の構成を説明し、ユーザ端末装置２００の説明を省略する。ユーザ端末装置１００は、図１に示すように、入出力制御Ｉ／Ｆ部１１０と、通信部１２０と、表示部１３０と、入力部１４０と、発光部１５０と、ポインター１６０と、受光部１７０と、記憶部１８０と、制御部１９０とを有する。なお、ユーザ端末装置１００は、例えば、携帯電話やＰＨＳ（Personal Handyphone System）端末、ＰＤＡ（Personal Digital Assistant）などである。
【００１３】
入出力制御Ｉ／Ｆ部１１０は、通信部１２０、表示部１３０、入力部１４０、発光部１５０、ポインター１６０、受光部１７０と、制御部１９０との間の各種情報のやりとりを制御するインタフェースである。通信部１２０は、ユーザ端末装置１００とオークション装置３００との間、及び、ユーザ端末装置１００と他のユーザ端末装置との間の電波を用いた通信を制御する。
【００１４】
表示部１３０は、ユーザＡに対して各種情報を表示出力する。例えば、表示部１３０は、後述するオークション装置３００から受信した入札状況を表示出力する。表示部１３０としては、例えば、液晶ディスプレイなどである。入力部１４０は、ユーザＡによる種々の情報の入力処理を受付ける。例えば、入力部１４０は、ユーザＡによって入力される入札額を受付ける。入力部１４０としては、例えば、操作キーやタッチパネルなどである。
【００１５】
発光部１５０は、後述する制御部１９０の制御に基づいて、可視光を発光する発光器である。例えば、発光部１５０は、後述する制御部１９０の制御に基づいて、白色、青色、赤色、緑色などの可視光を発光する。発光部１５０としては、例えば、可視光を発するＬＥＤ（Light Emitting Diode）、有機ＥＬ（ＯＬＥ：Organic Electro-Luminescence）、レーザー発振器などである。
【００１６】
ポインター１６０は、発光部１５０によって発光された光を外部に出力する出力部である。そして、ポインター１６０は、発光部１５０によって発光された光を外部に出力する際に、光の指向性を安定化させるために光を収束させる。
【００１７】
受光部１７０は、ユーザ端末装置２００又はオークション装置３００から出力された可視光を受光して、受光した可視光をアナログ信号に変換する受光素子である。受光部１７０としては、例えば、フォトダイオード素子などである。
【００１８】
記憶部１８０は、後述する制御部１９０によって用いられる各種情報を記憶する。例えば、記憶部１８０は、オークションの入札に用いられる「ユーザＩＤ（Identifier）：１１１１」などを記憶する。なお、「ユーザＩＤ：１１１１」は、ユーザＡを一意に特定する識別子であり、ユーザＡに対して事前に割当てられ、記憶部１８０に格納される。なお、記憶部１８０は、例えば、ＲＡＭ（Random Access Memory）、フラッシュメモリ（Flash Memory）などの半導体メモリ素子、または、ハードディスク、光ディスクなどの記憶装置である。
【００１９】
制御部１９０は、図１に示すように、電波通信制御部１９１と、可視光通信制御部１９２とを有する。制御部１９０は、例えば、ＡＳＩＣ（Application Specific Integrated Circuit）やＦＰＧＡ（Field Programmable Gate Array）などの集積回路、または、ＣＰＵ（Central Processing Unit）やＭＰＵ（Micro Processing Unit）などの電子回路である。
【００２０】
電波通信制御部１９１は、電波を用いた無線通信に関する各種処理を実行する。具体的には、電波通信制御部１９１は、電磁波において、光よりも周波数が低い電波を用いた無線通信に関する各種処理を実行する。具体的には、電波通信制御部１９１は、ユーザ端末装置２００やオークション装置３００との間で、電波を用いたデータの送受信に関する処理を実行する。
【００２１】
可視光通信制御部１９２は、可視光を用いた無線通信である可視光通信に関する各種処理を制御する。具体的には、可視光通信制御部１９２は、送信データのビット列をアナログ信号に変換し、変換したアナログ信号に基づいて発光部１５０を駆動させ、送信データの送信を制御する。より具体的には、可視光通信制御部１９２は、アナログ信号に基づいてパルス信号を出力し、出力したパルス信号により発光部１５０の点灯及び消灯を制御することにより、送信データをオークション装置３００又はユーザ端末装置２００に送信するように制御する。
【００２２】
図２は、可視光を用いた送信の一例を説明するための図である。図２においては、ユーザＡがユーザ端末装置１００を用いて入札を行う場合について示している。例えば、可視光通信制御部１９２は、図２に示すように、記憶部１８０によって記憶された「ユーザＩＤ：１１１１」と、入力部１４０を介してユーザＡから入力された「入札額：＄１００、０００」とを重畳させた可視光をオークション装置３００に出力するように制御する。
【００２３】
ここで、ユーザ端末装置１００は、ユーザＡが所望する送信先に対して送信データを送信する。すなわち、ユーザＡは、ポインター１６０から出力される可視光の照射先を目視して、所望する作品に対応する受光部に可視光が照射されるように、ユーザ端末装置１００の向きを調整する。
【００２４】
例えば、図２に示すように、ユーザ端末装置１００は、ユーザＡが入札を所望する「作品Ｎｏ．１１」の受光部３４２に可視光が照射されるように向きが調整される。そして、ユーザ端末装置１００は、「作品Ｎｏ．１１」の受光部３４２に入札データ「ユーザＩＤ：１１１１、入札額：＄１００、０００」を重畳した可視光を出力することで、入札データを送信する。
【００２５】
図１に戻って、さらに、可視光通信制御部１９２は、受光部１７０によって変換されたアナログ信号をデジタル信号に変換して、変換したデジタル信号をデータに復調する。例えば、可視光通信制御部１９２は、オークション装置３００がデータを重畳して送信した可視光からデータを復調する。
【００２６】
次に、オークション装置３００の構成について説明する。オークション装置３００は、図１に示すように、入出力制御Ｉ／Ｆ部３１０と、通信部３２０と、表示部３３０と、受光部３４１〜３４３と、発光部３５１〜３５３と、記憶部３６０と、制御部３７０とを有する。
【００２７】
入出力制御Ｉ／Ｆ部３１０は、通信部３２０、表示部３３０、受光部３４１〜３４３、発光部３５１〜３５３と、制御部３７０との間の各種情報のやりとりを制御するインタフェースである。通信部３２０は、オークション装置３００とユーザ端末装置１００との間、及び、オークション装置３００と他のユーザ端末装置との間の電波を用いた通信を制御する。
【００２８】
表示部３３０は、ユーザに対して各種情報を表示出力する。例えば、表示部３３０は、オークションに出品された作品や入札額などを表示出力する。表示部３３０としては、例えば、モニタなどである。
【００２９】
受光部３４１〜３４３は、ユーザ端末装置１００やユーザ端末装置２００などから出力された可視光を受光して、受光した可視光をアナログ信号に変換する受光素子である。受光部３４１〜３４３としては、例えば、フォトダイオード素子などである。
【００３０】
発光部３５１〜３５３は、後述する制御部３７０の制御に基づいて、可視光を発光する発光器である。例えば、発光部３５１〜３５３は、後述する制御部３７０の制御に基づいて、白色、青色、赤色、緑色などの可視光を発光する。発光部３５１〜３５３としては、例えば、可視光を発するＬＥＤ、有機ＥＬ、レーザー発振器などである。
【００３１】
記憶部３６０は、オークションに出品された作品の情報や後述する制御部３７０によって用いられる各種情報を記憶する。例えば、記憶部３６０は、「ユーザＩＤ：１１１１」、「ユーザ名：ユーザＡ」及びユーザＡの「電子メールアドレス」などを対応付けたユーザ情報などを記憶する。なお、ユーザ情報は事前に記憶部３６０に格納される。なお、記憶部３６０は、例えば、ＲＡＭ、フラッシュメモリなどの半導体メモリ素子、または、ハードディスク、光ディスクなどの記憶装置である。
【００３２】
制御部３７０は、図１に示すように、可視光通信制御部３７１と、表示制御部３７２と、発光制御部３７３と、電波通信制御部３７４とを有する。制御部３７０は、例えば、ＡＳＩＣやＦＰＧＡなどの集積回路、または、ＣＰＵやＭＰＵなどの電子回路である。
【００３３】
可視光通信制御部３７１は、可視光通信に関する各種処理を制御する。具体的には、可視光通信制御部３７１は、受光部３４１〜３４３によって変換されたアナログ信号をデジタル信号に変換して、変換したデジタル信号をデータに復調する。例えば、可視光通信制御部３７１は、ユーザ端末装置１００によって送信されて、受光部３４２によって受光された可視光を、アナログ信号から入札データ「ユーザＩＤ：１１１１、入札額：＄１００、０００」に復調する。
【００３４】
また、可視光通信制御部３７１は、送信データのビット列をアナログ信号に変換し、変換したアナログ信号に基づいて発光部３５１〜３５３を駆動させ、送信データの送信を制御する。より具体的には、可視光通信制御部３７１は、アナログ信号に基づいてパルス信号を出力し、出力したパルス信号により発光部３５１〜３５３の点灯及び消灯を制御することにより、送信データを送信するように制御する。ここで、発光部３５１〜３５３から発光される可視光は、指向性を有している。
【００３５】
例えば、可視光通信制御部３７１は、ユーザＡによって入札が行われた「作品Ｎｏ．１１」に対応する発光部３５２の点灯及び消灯を制御することで、入札状況「作品Ｎｏ．１１、作品名：ａｂｃｄ、入札額：＄１００、０００、入札者：ユーザＡ」を送信するように制御する。そして、入札状況の取得を所望するユーザは、発光部３５２から発光される可視光を受光するように、自身のユーザ端末装置の向きを調整する。例えば、ユーザＢが入札状況の取得を所望した場合には、ユーザ端末装置２００の受光部１７０に対して発光部３５２から発光される可視光が受光されるように、ユーザ端末装置２００の向きが調整される。そして、ユーザ端末装置２００は、受光部１７０が可視光を受光することにより、入札状況を受信する。
【００３６】
表示制御部３７２は、各種情報を表示部３３０にて表示するように制御する。例えば、表示制御部３７２は、任意の作品に対して入札が行われた場合に、表示部３３０に表示されていた情報を入札後の情報に更新して表示するように制御する。図３は、入札状況の一例を説明するための図である。
【００３７】
図３においては、図２に示すユーザＡによる入札が行われた後の状態について示している。例えば、表示制御部３７２は、図３に示すように、「現在価格：１００、０００、ユーザＡ様入札」とする入札状況を表示部３３０に表示させる。このとき、表示制御部３７２は、可視光通信制御部３７１が受信したユーザＩＤを取得し、取得したユーザＩＤに対応するユーザ名を、記憶部３６０によって記憶されたユーザ名を参照することにより特定する。そして、表示制御部３７２は、特定したユーザ名と可視光通信制御部３７１から取得した入札額とを、図３に示すように、表示部３３０に表示させる。
【００３８】
発光制御部３７３は、発光部３５１〜３５３の発光色を制御する。具体的には、発光制御部３７３は、可視光通信制御部３７１から入札要求を受信した受光部の情報を取得して、当該受光部に対応する発光部を、記憶部３６０を参照することによって特定し、特定した発光部によって発光される可視光の色を変更させる。すなわち、発光制御部３７３は、入札が行われた場合に、発光部３５１〜３５３によって発光される可視光の色を変更させる。例えば、発光制御部３７３は、図３に示すように、ユーザＡによって入札が行われた「作品Ｎｏ．１１」に対応する発光部３５２の発光色を変更させる。なお、変更前の色と変更後の色は、オークション装置３００の管理者によって任意に決定される。また、オークションに出品された作品と受光部及び発光部との対応関係は、事前に記憶部３６０に格納されている。
【００３９】
上述したように、オークション装置３００においては、任意の作品に入札が行われると、該当する作品に対応する発光部によって発光される可視光の色を変更する。そして、オークション装置３００は、入札状況のデータを重畳した可視光を送信する。すなわち、ユーザは、可視光の色が変更されたことを確認することで入札が行われたことを知ることができる。そして、詳細な入札状況を知りたい場合には、ユーザは、色が変更された可視光を自身のユーザ端末装置に備えられた受光部で受光することによって詳細な入札状況を取得することができる。
【００４０】
図４は、入札状況の取得の一例を説明するために図である。図４においては、ユーザＡによる入札が行われた後の状態について示している。例えば、図４に示すように、「作品Ｎｏ．１１」に対応する発光部３５２の発光色が変更されたことを確認したユーザＢが入札状況の取得を所望した場合には、ユーザ端末装置２００は、発光部３５２から出力される可視光を受光部１７０で受光できるように向きが調整される。そして、ユーザ端末装置２００は、図４に示すように、入札状況「作品Ｎｏ．１１、作品名：ａｂｃｄ、入札額：＄１００、０００、入札者：ユーザＡ」を受信する。
【００４１】
電波通信制御部３７４は、電波を用いた無線通信に関する各種処理を実行する。図５は、電波通信の一例を説明するための図である。図５においては、ユーザＡによる入札が行われた後の状態について示している。例えば、電波通信制御部３７４は、図５に示すように、入札応答情報「作品Ｎｏ．１１、作品名：ａｂｃｄ、入札日時：８月３日１３時１５分、入札額：＄１００、０００、入札者：ユーザＡ様」を、入札を行ったユーザＡのユーザ端末装置１００に対して送信する。このとき、電波通信制御部３７４は、可視光通信制御部３７１から取得したユーザＩＤに基づいて、ユーザＡの電子メールアドレスを記憶部３６０から読み出し、読み出した電子メールアドレスを用い、通信部１２０を介して、入札応答情報を送信する。なお、ここで用いられる無線通信としては、例えば、無線ＬＡＮ（Local Area Network）を用いた通信などである。
【００４２】
なお、上述した実施例１では、ユーザＡが入札を行い、ユーザＢが入札状況を取得する場合について説明したが、開示の技術はこれに限定されるものではなく、ユーザＢが入札を行い、ユーザＡが入札状況を取得する場合であってもよい。すなわち、ユーザ端末装置２００から入札データが送信され、ユーザ端末装置１００が入札状況を受信する場合であってもよい。
【００４３】
［実施例１に係る情報交換システムによる処理の手順］
次に、実施例１に係る情報交換システム１０００による処理の手順を説明する。図６は、実施例１に係る情報交換システム１０００による処理の手順を示すシーケンス図である。図６に示すように、実施例１に係る情報交換システム１０００においては、ユーザ端末装置１００から入札要求が送信され（ステップＳ１０１）、受光部３４２が入札要求を受信すると（ステップＳ１０２）、受光部３４２が可視光をアナログ信号に変換する（ステップＳ１０３）。
【００４４】
そして、受光部３４２が、変換したアナログ信号を制御部１９０に転送すると（ステップＳ１０４）、制御部１９０がアナログ信号を復調してユーザＩＤを抽出し（ステップＳ１０５）、ユーザ名を特定する（ステップＳ１０６）。その後、制御部１９０は、現在の入札状況を受信した入札要求の内容に更新して（ステップＳ１０７）、表示部１３０に表示を指示する（ステップＳ１０８）。
【００４５】
ステップＳ１０８にて表示指示がだされると、表示部１３０は、制御部１９０によって更新された入札状況を表示する（ステップＳ１０９）。また、制御部１９０は、入札状況を更新すると（ステップＳ１０７）、発光部３５２によって発光される可視光の発光色の変更及び更新した入札状況の報知を発光部３５２に指示する（ステップＳ１１０）。ステップＳ１１０にて発光色の変更及び報知の指示がだされると、発光部３５２は、発光色を変更した可視光により入札状況を報知する（ステップＳ１１１）。そして、ユーザ端末装置２００が、ユーザＢによって向きを調整されることにより、受光部１７０で可視光を受光する。そして、可視光通信制御部１９２が、受光部１７０によって受光された可視光から入札状況を抽出する（ステップＳ１１２）。
【００４６】
また、制御部１９０は、入札状況を更新すると（ステップＳ１０７）、通信部１２０に対して入札応答を指示する（ステップＳ１１３）。ステップＳ１１２にて入札応答指示がだされると、通信部１２０は、入札応答情報を電波によりユーザ端末装置１００に対して送信し、処理を終了する。なお、ステップＳ１０８における表示指示と、ステップＳ１１０における発光色の変更及び報知の指示と、ステップＳ１１３における入札応答指示とは、平行して実行される。
【００４７】
［実施例１の効果］
上述したように、実施例１によれば、ユーザ端末装置１００における発光部１５０が、ユーザＡを一意に特定するためのユーザＩＤを少なくとも重畳させた可視光を、オークション装置３００における受光部３４２に出力する。ユーザ端末装置２００における受光部１７０が、オークション装置３００から出力された可視光を受光する。そして、オークション装置３００における受光部３４２が、ユーザ端末装置１００から出力されたユーザＩＤが重畳された可視光を受光する。そして、可視光通信制御部３７１が、受光部３４２によってユーザＩＤが重畳された可視光が受光された場合に、オークションの入札状況を報知することを決定する。そして、発光部３５２が、可視光通信制御部３７１によってオークションの入札状況を報知することが決定された場合に、オークションの入札状況を可視光に重畳させて出力する。従って、実施例１に係る情報交換システム１０００は、ユーザＩＤを用いることで利用者を特定できる。さらに、実施例１に係る情報交換システム１０００は、可視光を用いることで、ユーザが情報の送受信を目視して確認することができる。すなわち、実施例１に係る情報交換システム１０００は、指で物を指し示すような感覚で送信先を指定できるとともに、目で確認しながら情報の受信を行うことができる。その結果、実施例１に係る情報交換システム１０００は、情報の送受信を確実に行うことを可能にする。
【００４８】
また、実施例１によれば、ポインター１６０が、ユーザＩＤを重畳させた可視光を収束させる。従って、実施例１に係る情報交換システム１０００は、ユーザが所望する通信相手に対して正確に可視光を照射することができ、情報の送受信をより確実に行うことを可能にする。例えば、複数の送信先が密集している場合であっても、実施例１に係る情報交換システム１０００では、ユーザが所望する送信先を容易に指定することができる。
【００４９】
また、実施例１によれば、発光部３５１〜３５３は、可視光通信制御部３７１によってオークションの入札状況を報知することが決定された場合に、決定前とは異なる色の可視光を出力する。従って、実施例１に係る情報交換システム１０００は、情報が報知されることをユーザが容易に認識することを可能にする。
【００５０】
また、実施例１によれば、表示制御部３７２が、受光部３４２によって受光された可視光に重畳されたユーザＩＤを用いて、オークションの入札状況を更新する。そして、発光部３５２が、表示制御部３７２によって更新された情報を可視光に重畳させて出力する。従って、実施例１に係る情報交換システム１０００は、ユーザによってアクセスされるごとに更新した情報を報知することを可能にする。
【実施例２】
【００５１】
さて、これまで実施例１について説明したが、上述した実施例１以外にも、種々の異なる形態にて実施されてよいものである。
【００５２】
（１）情報交換システム
上述した実施例１では、情報交換システムをオークションシステムに適用する場合について説明した。しかしながら、開示の技術はこれに限定されるものではなく、例えば、看板などを用いた広告に適用される場合であってもよい。かかる場合には、例えば、ユーザ端末装置が、ユーザの電子メールアドレスなどを可視光に重畳させ、重畳させた可視光を広告に備えられた可視光通信装置に対して送信する。広告に備えられた可視光通信装置は、受信した電子メールアドレスに対して広告の内容を送信する。
【００５３】
（２）受光部及び発光部
上述した実施例１では、オークション装置３００において、受光部及び発光部を、オークションの物件に対応付けて複数有する場合について説明した。しかしながら、開示の技術はこれに限定されるものではなく、例えば、受光部及び発光部をそれぞれ１つずつ備える場合であってもよい。かかる場合には、ユーザが所望する作品の「作品Ｎｏ．」を、ユーザ端末装置が可視光に重畳して送信し、オークション装置３００において、「作品Ｎｏ．」を抽出することにより、入札された作品を識別する。
【００５４】
（３）入札応答
上述した実施例１では、入札を行ったユーザＡのユーザ端末装置１００に対して、電波を用いた通信により入札応答を送信する場合について説明した。しかしながら、開示の技術はこれに限定されるものではなく、例えば、可視光を用いて入札応答を送信する場合であってもよい。
【００５５】
（４）システム構成等
図示した各装置の各構成要素は機能概念的なものであり、必ずしも物理的に図示された構成要素と同一であることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図１に示す電波通信制御部１９１と可視光通信制御部１９２とを一つの通信制御部として統合してもよい。また、一方で、図１に示す可視光通信制御部と３７１を、送信を制御する送信制御部と、受信を制御する受信制御部とに分散してもよい。
【００５６】
また、本実施例において説明した各処理のうち、自動的に行われるものとして説明した処理の全部または一部を手動的に行うこともできる。例えば、図６における発光色の変更を手動で行ってもよい。また、制御部３７０をオークション装置３００の外部装置としてネットワーク経由で接続するようにしてもよい。また、制御部３７０を別の装置が有し、ネットワークに接続されて協働することで、上記した情報交換システム１０００の機能を実現するようにしてもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００５７】
１００、２００  ユーザ端末装置
１５０、３５１、３５２、３５３  発光部
１６０  ポインター
１７０、３４１、３４２、３４３  受光部
１９２、３７１  可視光通信制御部
３００  オークション装置
３７２  表示制御部
３７３  発光制御部
【図１】
2012039387.tif 000003
【図２】
2012039387.tif 000004
【図３】
2012039387.tif 000005
【図４】
2012039387.tif 000006
【図５】
2012039387.tif 000007
【図６】
2012039387.tif 000008